(57)【要約】【課題】撹拌対象の液体に大きな気泡を生じにくく、かつ液体が周囲に飛び散りにくい撹拌装置を提供する。【解決手段】撹拌装置は回転装置１と回転体２と複数の磁石３，４とを有している。回転装置１は、電動で回転可能な軸部５を有している。回転体２は、円盤状であって中心線に沿って軸部５に取り付けられている。回転体２は、両面が軸部５に垂直をなしている。複数の磁石３は、大きな球形のネオジム磁石から成る。複数の磁石４は、小さい球形のネオジム磁石から成る。各磁石３，４は、回転体２に軸部５の延長線上からずれた位置で弾性接着剤８によりそれぞれ取り付けられている。【選択図】図１
2020082005.tif 000002
【特許請求の範囲】
【請求項１】
電動で駆動する駆動部を有する駆動装置と、
前記駆動部に取り付けられた磁石とを、
有することを特徴とする撹拌装置。
【請求項２】
電動で回転可能な軸部を有する回転装置と、
前記軸部に取り付けられた回転体と、
前記回転体の表面に前記軸部の延長線上からずれた位置で取り付けられた球形の磁石とを、
有することを特徴とする撹拌装置。
【請求項３】
前記磁石は複数の同一の大きさの磁石から成ることを、特徴とする請求項２記載の撹拌装置。
【請求項４】
電動で振動可能な振動部を有するバイブレータと、
前記振動部に取り付けられた磁石とを、
有することを特徴とする撹拌装置。
【請求項５】
前記磁石は複数から成り、各磁石はそれぞれ反発力または吸着力を保持した状態で前記振動部に弾性接着剤で取り付けられ、前記弾性接着剤は前記振動部に対し前記磁石を前記振動部の振動により運動可能な状態で取り付けていることを、
特徴とする請求項４記載の撹拌装置。
【発明の詳細な説明】
【技術分野】
【０００１】
本発明は、撹拌装置に関する。
【背景技術】
【０００２】
操作用ハンドルを備え、撹拌羽が設けられた軸を駆動モータにより回転させる撹拌装置が知られている（例えば、特許文献１参照）。
【先行技術文献】
【特許文献】
【０００３】
【特許文献１】実用新案登録第3195798号公報
【発明の概要】
【発明が解決しようとする課題】
【０００４】
しかしながら、特許文献１に記載の撹拌装置は、撹拌羽がスクリュー状のため、撹拌対象の液体に大きな気泡を生じやすく、また、液体などが周囲に飛び散りやすいという課題があった。
【０００５】
本発明は、このような課題に着目してなされたもので、撹拌対象の液体に大きな気泡を生じにくく、かつ液体が周囲に飛び散りにくい撹拌装置を提供することを目的とする。
【課題を解決するための手段】
【０００６】
上記目的を達成するために、本発明に係る撹拌装置は、電動で駆動する駆動部を有する駆動装置と、前記駆動部に取り付けられた磁石とを、有することを特徴とする。
本発明に係る撹拌装置は、駆動部を駆動させて、磁石で撹拌することができる。撹拌対象の液体に大きな気泡を生じにくく、かつ液体が周囲に飛び散りにくい。また、液体中に鉄粉などを含んでいる場合、鉄粉などを磁石で吸着し、取り除くことができる。
駆動部は、例えば、回転可能な軸部、振動可能な振動部などから成る。駆動装置は、例えば、回転装置、バイブレータから成る。
【０００７】
本発明に係る撹拌装置は、電動で回転可能な軸部を有する回転装置と、前記軸部に取り付けられた回転体と、前記回転体の表面に前記軸部の延長線上からずれた位置で取り付けられた球形の磁石とを、有していてもよい。
この場合、軸部を回転させて、磁石で撹拌することができる。撹拌対象の液体に大きな気泡を生じにくく、かつ液体が周囲に飛び散りにくい。また、液体中に鉄粉などを含んでいる場合、鉄粉などを磁石で吸着し、取り除くことができる。
【０００８】
前記磁石は、複数の同一の大きさの磁石から成ってもよい。
この場合、軸部を回転させて、複数の磁石で撹拌することができる。撹拌対象の液体に大きな気泡を生じにくく、かつ液体が周囲に飛び散りにくい。また、液体中に鉄粉などを含んでいる場合、鉄粉などを磁石で吸着し、取り除くことができる。また、磁石を身体に当てながら回転させてマッサージに用いることができる。
【０００９】
本発明に係る撹拌装置は、電動で振動可能な振動部を有するバイブレータと、前記振動部に取り付けられた磁石とを、有していてもよい。
この場合、振動部を振動させて、磁石で撹拌することができる。撹拌対象の液体に大きな気泡を生じにくく、かつ液体が周囲に飛び散りにくい。また、液体中に鉄粉などを含んでいる場合、鉄粉などを磁石で吸着し、取り除くことができる。
【００１０】
本発明に係る撹拌装置において、前記磁石は複数から成り、各磁石はそれぞれ反発力または吸着力を保持した状態で前記振動部に弾性接着剤で取り付けられ、前記弾性接着剤は前記振動部に対し前記磁石を前記振動部の振動により運動可能な状態で取り付けていてもよい。
この場合、複数の磁石が振動部の振動によりそれぞれの反発力または吸着力と相まって複雑に運動し、撹拌することができる。弾性接着剤は、硬化後にゴム状の弾性を示す接着剤であり、例えば、シリコーン系接着剤や変性シリコーン系接着剤が挙げられる。
【発明の効果】
【００１１】
本発明によれば、撹拌対象の液体に大きな気泡を生じにくく、かつ液体が周囲に飛び散りにくい撹拌装置を提供することができる。
【図面の簡単な説明】
【００１２】
【図１】本発明の第１の実施の形態の撹拌装置を示す側面図である。
【図２】図１に示す撹拌装置の正面図である。
【図３】本発明の第２の実施の形態の撹拌装置を示す正面図である。
【図４】本発明の第３の実施の形態の撹拌装置を示す側面図である。
【発明を実施するための形態】
【００１３】
以下、図面に基づき、本発明の各種実施の形態について説明する。
図１および図２は、本発明の第１の実施の形態の撹拌装置を示している。
図１および図２に示すように、撹拌装置は、回転装置１と回転体２と複数の磁石３，４とを有している。回転装置１は、電動で回転可能な軸部５を有している。回転装置１はグリップ６を有し、グリップ６に軸部５を回転させるためのスイッチ７を有している。回転体２は、円盤状であって中心線に沿って軸部５に取り付けられている。回転体２は、両面が軸部５に垂直をなしている。複数の磁石３は、大きな球形のネオジム磁石から成る。複数の磁石４は、小さい球形のネオジム磁石から成る。各磁石３，４は、回転体２の表面に軸部４の延長線上からずれた位置で弾性接着剤８によりそれぞれ取り付けられている。
【００１４】
第１の実施の形態の撹拌装置は、スイッチ７の操作により軸部５を回転させて、磁石３，４で撹拌することができる。撹拌対象の液体に大きな気泡を生じにくく、かつ液体が周囲に飛び散りにくい。また、液体中に鉄粉などを含んでいる場合、鉄粉などを磁石３，４で吸着し、取り除くことができる。この撹拌装置により飲料水を撹拌した場合、まろやかなおいしい水にすることができる。
【００１５】
図３は、本発明の第２の実施の形態の撹拌装置を示している。
本発明の第２の実施の形態において、本発明の第１の実施の形態と同一の部材には同一の符号を付し、重複した説明を省略する。
図３に示すように、本発明の第２の実施の形態の撹拌装置は、回転装置１と回転体２と複数の磁石３とを有している。回転装置１は、電動で回転可能な軸部５を有している。回転装置１はグリップ６を有し、グリップ６に軸部５を回転させるためのスイッチ７を有している。複数の磁石３は、同一の大きさの球形のネオジム磁石から成る。各磁石３は、回転体２の表面に中心線から等距離の位置で弾性接着剤８によりそれぞれ取り付けられている。
【００１６】
第２の実施の形態の撹拌装置は、軸部５を回転させて、複数の磁石３で撹拌することができる。撹拌対象の液体に大きな気泡を生じにくく、かつ液体が周囲に飛び散りにくい。また、液体中に鉄粉などを含んでいる場合、鉄粉などを磁石３で吸着し、取り除くことができる。また、複数の磁石３を身体に当てながら回転させてマッサージに用いることができる。
【００１７】
図４は、本発明の第３の実施の形態の撹拌装置を示している。
図４に示すように、撹拌装置は、バイブレータ１１と複数の磁石１２，１３とを有している。バイブレータ１１は、電動で振動可能な振動部１４を有している。バイブレータ１１は、振動部１４を振動させるためのスイッチ１５を有している。磁石１２は、１個の大きい球形のネオジム磁石から成る。複数の磁石１３は、それぞれ小さい球形のネオジム磁石３から成る。大きい磁石１２は、振動部１４の先端に取り付けられている。複数の小さい磁石１３は、大きい磁石３より後端側に取り付けられている。
【００１８】
複数の磁石１２，１３は、それぞれ反発力または吸着力を保持した状態で振動部１４に弾性接着剤１６で取り付けられている。弾性接着剤１６は、振動部１４に対し各磁石１２，１３を振動部１４の振動により運動可能な状態で取り付けている。
【００１９】
第３の実施の形態の撹拌装置は、スイッチ１５の操作により振動部１４を振動させて、磁石１２，１３で撹拌することができる。撹拌対象の液体に大きな気泡を生じにくく、かつ液体が周囲に飛び散りにくい。複数の磁石１２，１３は、弾性接着剤１６により振動部１４に取り付けられており、振動部１４の振動によりそれぞれの反発力または吸着力と相まって複雑に運動し、撹拌することができる。また、液体中に鉄粉などを含んでいる場合、鉄粉などを磁石１２，１３で吸着し、取り除くことができる。この撹拌装置により飲料水を撹拌した場合、まろやかなおいしい水にすることができる。
【符号の説明】
【００２０】
１  回転装置
２  回転体
３  大きい磁石
４  小さい磁石
５  軸部
６  グリップ
７  スイッチ
８  弾性接着剤
１１  バイブレータ
１２  大きい磁石
１３  小さい磁石
１４  振動部
１５  スイッチ
１６  弾性接着剤
【図１】
2020082005.tif 000003
【図２】
2020082005.tif 000004
【図３】
2020082005.tif 000005
【図４】
2020082005.tif 000006